(57)【要約】【課題】ハロゲンランプの寿命を長期化させることによりハロゲンランプの交換頻度を減らすことが可能な試料分析装置を提供する。【解決手段】この試料分析装置１は、電極６３１ａと、電極６３１ａに接続されたフィラメント６３１ｂとを含むハロゲンランプ６３１ｋと、ハロゲンランプ６３１ｋのフィラメント６３１ｂが電極６３１ａに対して上方に位置するようにハロゲンランプ６３１ｋを保持するためのランプハウジング６３２およびベース６３３と、ハロゲンランプ６３１ｋから照射された光を分析用試料を介して受光する光電変換素子６４と、光電変換素子６４により受光された光に基づいて分析用試料に含まれる成分を分析する制御部４ａとを備えている。【選択図】図４
2010266236.tif 000002
【特許請求の範囲】
【請求項１】
電極と、前記電極に接続されたフィラメントとを有するハロゲンランプを含むランプ部材と、
前記ハロゲンランプのフィラメントが前記電極に対して上方に位置するように前記ランプ部材を保持するためのランプ保持機構と、
前記ハロゲンランプから照射された光を分析用試料を介して受光する受光部と、
前記受光部により受光された光に基づいて前記分析用試料に含まれる成分を分析する分析部とを備える、試料分析装置。
【請求項２】
前記ランプ部材は、前記ハロゲンランプを保持するハロゲンランプ保持部材と、前記ハロゲンランプ保持部材に保持された前記電極に通電するためのコネクタ部材とをさらに含み、
前記ランプ保持機構は、前記ランプ部材が着脱可能に取り付けられ、取り付けられた前記ランプ部材の前記ハロゲンランプを覆って収容可能なランプハウジングと、前記ランプ部材が取り付けられた前記ランプハウジングを着脱可能に固定するための基台部とを含み、
前記ランプハウジングには、前記ハロゲンランプを下方から挿入するためのランプ挿入孔が設けられ、前記ランプハウジングの一側面には、前記ハロゲンランプから照射された光を外部に導出させるための光導出部が設けられている、請求項１に記載の試料分析装置。
【請求項３】
前記ランプ部材は、前記ランプハウジングが前記基台部に固定される際に、前記ランプハウジングと前記基台部とに挟み込まれることによって保持されている、請求項２に記載の試料分析装置。
【請求項４】
前記ランプ部材は、第１係合部を含み、
前記ランプハウジングは、前記ランプ部材の第１係合部と係合可能な第２係合部を含み、
前記ランプ部材の前記ハロゲンランプを前記ランプ挿入孔に挿入することで、前記第１係合部が前記第２係合部と係合する、請求項２または３に記載の試料分析装置。
【請求項５】
前記ランプ部材の第１係合部は、十字形状の平板部を有し、
前記ランプハウジングの第２係合部は、前記第１係合部の平板部と係合可能な十字形状の溝部を有する、請求項４に記載の試料分析装置。
【請求項６】
前記ランプハウジングは、前記ランプ部材の第１係合部と前記ランプハウジングの第２係合部とが係合した状態で前記ランプ部材を前記ランプハウジングに固定可能な固定部材をさらに備える、請求項４または５に記載の試料分析装置。
【請求項７】
前記基台部は、前記ランプハウジングが前記基台部に固定される際に、前記ランプハウジングに係合された前記ランプ部材の第１係合部を位置決めする位置決め部を有する、請求項４〜６のいずれか１項に記載の試料分析装置。
【請求項８】
前記ランプハウジングには、前記ランプハウジングの一方の面から反対側の面まで前記ランプハウジングを貫通した貫通穴が設けられている、請求項２〜７のいずれか１項に記載の試料分析装置。
【請求項９】
前記ランプハウジングは、前記ランプハウジングの少なくとも外周面の一部を覆う断熱部材をさらに備える、請求項２〜８のいずれか１項に記載の試料分析装置。
【請求項１０】
前記ランプハウジングは、前記ランプハウジングの上部に取り付けられ、前記ランプハウジングを前記基台部から取り外す際にユーザにより把持可能な把持部をさらに備える、請求項２〜９のいずれか１項に記載の試料分析装置。 
【請求項１１】
前記ハロゲンランプから照射された光を前記受光部に伝達する光伝達部をさらに備え、
前記ハロゲンランプのフィラメントは、扁平な発光平面を有し、
前記フィラメントの扁平な発光平面は、前記光伝達部の受光面と対向するように配置されている、請求項１〜１０のいずれか１項に記載の試料分析装置。
【発明の詳細な説明】
【技術分野】
【０００１】
本発明は、ハロゲンランプを備える試料分析装置に関する。
【背景技術】
【０００２】
従来、ハロゲンランプを備える試料分析装置が知られている（たとえば、特許文献１参照）。このような試料分析装置では、検体に試薬を添加して分析用試料を調製した後、その分析用試料に所定の波長の光を照射し、分析用試料からの散乱光や透過光などを分析することにより分析結果を得ることが一般的に知られている。
【０００３】
上記特許文献１には、フィラメントおよび電極を有するハロゲンランプと、ハロゲンランプを収容し、ハロゲンランプから照射された光を外部に導出するための光照射孔が設けられたランプハウジングと、ランプハウジングに設けられた光照射孔を介してハロゲンランプから照射された光に基づいて分析用試料に含まれる成分を分析する制御部とを備える分析装置が開示されている。この分析装置では、ランプハウジングの上面にハロゲンランプを上方から内部に挿入するためのランプ挿入孔が設けられており、このランプ挿入孔を介してハロゲンランプがランプハウジング内に挿入されることにより、フィラメントが電極よりも下方に位置した状態で、ハロゲンランプがランプハウジングに収容されている。
【先行技術文献】
【特許文献】
【０００４】
【特許文献１】ＷＯ２００７／００４４６６号公報
【発明の概要】
【発明が解決しようとする課題】
【０００５】
しかしながら、上記特許文献１に開示されたような分析装置では、ハロゲンランプの寿命が短くなってしまうため、ハロゲンランプの交換頻度が高くなってしまう。ハロゲンランプの交換作業を行っている間は試料の測定を行うことができないため、ハロゲンランプの寿命を長期化して、ハロゲンランプの交換頻度を減らすことが要望されている。
【０００６】
この発明は、上記のような課題を解決するためになされたものであり、ハロゲンランプの寿命を長期化させることによりハロゲンランプの交換頻度を減らすことが可能な試料分析装置を提供することを目的とする。
【課題を解決するための手段および発明の効果】
【０００７】
上記目的を達成するために、本願発明者が鋭意検討した結果、ハロゲンランプのフィラメントを電極に対して上方に位置するように設置することによって、ハロゲンランプの寿命（平均寿命）を長期化できることを見出した。すなわち、この発明の一の局面による試料分析装置は、電極と、電極に接続されたフィラメントとを有するハロゲンランプを含むランプ部材と、ハロゲンランプのフィラメントが電極に対して上方に位置するようにランプ部材を保持するためのランプ保持機構と、ハロゲンランプから照射された光を分析用試料を介して受光する受光部と、受光部により受光された光に基づいて分析用試料に含まれる成分を分析する分析部とを備える。
【０００８】
この一の局面による試料分析装置では、上記のように、ハロゲンランプのフィラメントが電極に対して上方に位置するようにハロゲンランプを設置することによって、ハロゲンランプの使用時に、良好にハロゲンサイクルを行わせることができる。それにより、フィラメントが細くなるのを抑制することができるので、フィラメントの寿命（平均寿命）を長くすることができる。その結果、ハロゲンランプの交換頻度を減らすことができる。
【０００９】
上記一の局面による試料分析装置において、好ましくは、ランプ部材は、ハロゲンランプを保持するハロゲンランプ保持部材と、ハロゲンランプ保持部材に保持された電極に通電するためのコネクタ部材とをさらに含み、ランプ保持機構は、ランプ部材が着脱可能に取り付けられ、取り付けられたランプ部材のハロゲンランプを覆って収容可能なランプハウジングと、ランプ部材が取り付けられたランプハウジングを着脱可能に固定するための基台部とを含み、ランプハウジングには、ハロゲンランプを下方から挿入するためのランプ挿入孔が設けられ、ランプハウジングの一側面には、ハロゲンランプから照射された光を外部に導出させるための光導出部が設けられている。このように構成すれば、ハロゲンランプの交換を容易に行うことができる。
【００１０】
この場合において、好ましくは、ランプ部材は、ランプハウジングが基台部に固定される際に、ランプハウジングと基台部とに挟み込まれることによって保持されている。
【００１１】
上記ランプ部材およびランプハウジングを有する試料分析装置において、好ましくは、ランプ部材は、第１係合部を含み、ランプハウジングは、ランプ部材の第１係合部と係合可能な第２係合部を含み、ランプ部材のハロゲンランプをランプ挿入孔に挿入することで、第１係合部が第２係合部と係合する。このように構成すれば、容易に、ハロゲンランプをランプハウジング内に配置することができる。
【００１２】
上記第１係合部を有するランプ部材を備える試料分析装置において、好ましくは、ランプ部材の第１係合部は、十字形状の平板部を有し、ランプハウジングの第２係合部は、第１係合部の平板部と係合可能な十字形状の溝部を有する。このように構成すれば、十字形状の平板部が溝部に挿入されることにより、第１係合部を回転方向に対して規制することができるので、ランプ部材の第１係合部が第２係合部に対して回転方向にずれるのを抑制することができる。これにより、ハロゲンランプのフィラメントとして扁平な発光平面を有するフィラメントを用いる場合にも、その扁平な発光平面が回転方向にずれるのを抑制することができる。
【００１３】
上記第１係合部を有するランプ部材を備える試料分析装置において、好ましくは、ランプハウジングは、ランプ部材の第１係合部とランプハウジングの第２係合部とが係合した状態でランプ部材をランプハウジングに固定可能な固定部材をさらに備える。
【００１４】
上記第１係合部を有するランプ部材を備える試料分析装置において、好ましくは、基台部は、ランプハウジングが基台部に固定される際に、ランプハウジングに係合されたランプ部材の第１係合部を位置決めする位置決め部を有する。このように構成すれば、試料分析装置に対してハロゲンランプをより高精度に位置決めすることができる。
【００１５】
上記ランプ部材およびランプハウジングを有する試料分析装置において、好ましくは、ランプハウジングには、ランプハウジングの一方の面から反対側の面までランプハウジングを貫通した貫通穴が設けられている。このように構成すれば、ハロゲンランプが発熱することに起因してランプハウジング内が高温になりすぎるのを抑制することができる。
【００１６】
上記ランプ部材およびランプハウジングを有する試料分析装置において、好ましくは、ランプハウジングは、ランプハウジングの少なくとも外周面の一部を覆う断熱部材をさらに備える。このように構成すれば、ハロゲンランプが発熱することに起因して、断熱部材に覆われたランプハウジングの外周面部分が高温になるのを抑制することができる。
【００１７】
上記ランプ部材およびランプハウジングを有する試料分析装置において、好ましくは、ランプハウジングは、ランプハウジングの上部に取り付けられ、ランプハウジングを基台部から取り外す際にユーザにより把持可能な把持部をさらに備える。このように構成すれば、把持部を把持することにより、容易にランプハウジングを基台部から取り外すことができる。
【００１８】
上記一の局面による試料分析装置において、ハロゲンランプから照射された光を受光部に伝達する光伝達部をさらに備え、ハロゲンランプのフィラメントは、扁平な発光平面を有し、フィラメントの扁平な発光平面は、光伝達部の受光面と対向するように配置されている。このように構成すれば、ハロゲンランプの取付位置が少しずれている場合にも、フィラメントの扁平な発光平面による広い照射範囲により、確実に光伝達部の受光面に光を当てることができる。
【図面の簡単な説明】
【００１９】
【図１】本発明の一実施形態による試料分析装置の全体構成を示した斜視図である。
【図２】図１に示した一実施形態による試料分析装置の検出機構部および搬送機構部を示した平面図である。
【図３】図１に示した一実施形態による試料分析装置の光学的情報取得部などの構成を示したブロック図である。
【図４】図１に示した一実施形態による試料分析装置の光学的情報取得部のランプユニットの構成を示した分解斜視図である。
【図５】図１に示した一実施形態による試料分析装置の光学的情報取得部のランプユニットの構成を示した斜視図である。
【図６】図１に示した一実施形態による試料分析装置の光学的情報取得部のランプユニットのベースの構成を説明するための斜視図である。
【図７】図１に示した一実施形態による試料分析装置の光学的情報取得部のランプユニットの構成を示した概略図である。
【図８】図１に示した一実施形態による試料分析装置のランプユニットのハロゲンランプの構成を示した斜視図である。
【図９】図１に示した一実施形態による試料分析装置のランプユニットのランプハウジングおよびハロゲンランプ周辺の構成を示した断面図である。
【図１０】図１に示した一実施形態による試料分析装置のランプユニットのランプハウジングおよびハロゲンランプ周辺の構成を示した断面図である。
【図１１】図１に示した一実施形態による試料分析装置のランプユニットのランプハウジングおよびハロゲンランプ周辺の構成を示した底面図である。
【図１２】図１に示した一実施形態による試料分析装置のランプユニットのランプハウジングおよびハロゲンランプ周辺の構成を示した正面図である。
【図１３】図１に示した一実施形態による試料分析装置のランプユニットのランプハウジングおよびハロゲンランプ周辺の構成を示した背面図である。
【図１４】図１に示した一実施形態による試料分析装置のランプユニットのランプハウジングおよびハロゲンランプ周辺の構成を示した側面図である。
【図１５】図１に示した一実施形態による試料分析装置のランプユニットのハロゲンランプのハロゲンサイクルを説明するための模式図である。
【図１６】図１に示した一実施形態による試料分析装置のランプユニットのハロゲンランプの寿命試験に基づいた効果を説明するための図である。
【図１７】本発明の一実施形態の変形例による試料分析装置の光学的情報取得部のランプユニットのベースの構成を説明するための斜視図である。
【発明を実施するための形態】
【００２０】
以下、本発明の実施形態を図面に基づいて説明する。
【００２１】
まず、図１〜図１４を参照して、本発明の一実施形態による試料分析装置１の全体構成について説明する。
【００２２】
本発明の一実施形態による試料分析装置１は、血液の凝固・線溶機能に関連する特定の物質の量や活性の度合いを光学的に測定して分析するための装置であり、検体としては血漿を用いる。なお、本実施形態による試料分析装置１では、凝固時間法、合成基質法および免疫比濁法を用いて検体の光学的な測定を行っている。凝固時間法は、検体が凝固する過程を透過光または散乱光の変化として検出する測定方法である。また、合成基質法は、検体に添加された発色性合成基質が発色する過程の吸光度の変化を、透過光の変化に基づき検出する測定方法である。また、免疫比濁法は、検体に添加されたラテックス試薬などの抗体感作試薬が抗原抗体反応することによる吸光度の変化を、透過光の変化に基づき検出する測定方法である。試料分析装置１は、図１に示すように、検出機構部２と、検出機構部２の前面側に配置された搬送機構部３と、検出機構部２に電気的に接続された制御装置４とにより構成されている。
【００２３】
搬送機構部３は、検体を収容した複数（本実施形態では、１０本）の試験管１５０が載置されたラック１５１を検出機構部２の吸引分注位置２ａ（図２参照）に対応する位置まで搬送することにより、検出機構部２に検体を自動的に供給するように構成されている。
【００２４】
制御装置４は、パーソナルコンピュータ（ＰＣ）などからなり、図１に示すように、制御部４ａと、表示部４ｂと、キーボード４ｃとを含んでいる。制御部４ａは、検出機構部２および搬送機構部３の動作制御を行うとともに、検出機構部２で得られた検体の光学的な情報を分析するための機能を有している。具体的には、制御装置４の制御部４ａは、後述する光電変換素子６４により受光された光に基づいて分析用試料に含まれる成分を分析する機能を有する。例えば、制御部４ａは、光電変換素子６４により受光された透過光量を監視し、所定期間における透過光量の変化量に基づいて、分析用試料に含まれるフィブリノーゲンの濃度を算出する。また、制御部４ａは、ＣＰＵ、ＲＯＭ、ＲＡＭなどからなる。また、表示部４ｂは、制御部４ａで得られた分析結果を表示するために設けられている。
【００２５】
検出機構部２は、搬送機構部３から供給された検体に対して光学的な測定を行うことにより、検体に関する光学的情報を取得することが可能なように構成されている。本実施形態による試料分析装置１では、搬送機構部３の試験管１５０から検出機構部２のキュベット１５３および１５４（図２参照）内に分注された検体に対して光学的な測定が行われる。このキュベット１５３は、後述する１次分注テーブル２４に保持されるとともに、キュベット１５４は、後述する２次分注テーブル２３に保持される。検出機構部２は、図１および図２に示すように、キュベット供給部１０と、回転搬送部２０と、検体分注アーム３０と、２つの試薬分注アーム４０と、キュベット移送部５０と、光学的情報取得部６０と、キュベット廃棄部７０と、流体部８０とを備えている。
【００２６】
キュベット供給部１０は、図２に示すように、複数のキュベット１５３および１５４を回転搬送部２０に順次供給することが可能なように構成されている。
【００２７】
回転搬送部２０は、キュベット供給部１０から供給されたキュベット１５３および１５４と、キュベット１５３および１５４内の検体に添加される試薬を収容した試薬容器（図示せず）とを回転方向に搬送するために設けられている。この回転搬送部２０は、円形状の試薬テーブル２１と、円形状の試薬テーブル２１の外側に配置された円環形状の試薬テーブル２２と、円環形状の試薬テーブル２２の外側に配置された円環形状の二次分注テーブル２３と、円環形状の二次分注テーブル２３の外側に配置された円環形状の一次分注テーブル２４とにより構成されている。
【００２８】
試薬テーブル２１および２２は、それぞれ、検体から分析用試料を調製する際に添加される種々の試薬を収容した複数の試薬容器（図示せず）を載置可能に構成されている。また、一次分注テーブル２４および二次分注テーブル２３は、それぞれ、キュベット供給部１０から供給されたキュベット１５３および１５４を保持可能に構成されている。一次分注テーブル２４に保持されたキュベット１５３には、一次分注処理の際に、搬送機構部３の試験管１５０からの検体が分注される。また、二次分注テーブル２３に保持されたキュベット１５４には、二次分注処理の際に、一次分注テーブル２４に保持されたキュベット１５３からの検体が分注される。
【００２９】
検体分注アーム３０は、搬送機構部３により検出機構部２の吸引分注位置２ａに搬送された試験管１５０内の検体を、回転搬送部２０の一次分注テーブル２４に保持されているキュベット１５３内に分注する機能を有している。また、検体分注アーム３０は、回転搬送部２０の一次分注テーブル２４に保持されているキュベット１５３内の検体を、二次分注テーブル２３に保持されているキュベット１５４内に分注する機能も有している。
【００３０】
２つの試薬分注アーム４０は、試薬テーブル２１および２２に載置された試薬容器（図示せず）内の試薬を、二次分注テーブル２３のキュベット１５４に分注するために設けられている。
【００３１】
キュベット移送部５０は、分析用試料を収容したキュベット１５４を回転搬送部２０の二次分注テーブル２３と光学的情報取得部６０のキュベット載置部６１との間で移送するために設けられている。
【００３２】
光学的情報取得部６０は、検体に試薬を添加して調製された分析用試料の加温を行うとともに、分析用試料の光学的な測定を行うための機能を有している。この光学的情報取得部６０は、キュベット載置部６１と、キュベット載置部６１の下方に配置された検出部６２（図３参照）と、検出部６２に光を導出する光源としてのランプユニット６３とにより構成されている。キュベット載置部６１には、キュベット１５４を挿入するための複数の挿入孔６１ａが設けられている。また、キュベット載置部６１には、挿入孔６１ａに挿入されたキュベット１５４を所定の温度に加温するための加温機構（図示せず）が内蔵されている。
【００３３】
光学的情報取得部６０の検出部６２は、図３に示すように、挿入孔６１ａ（図２参照）に挿入されたキュベット１５４内の分析用試料に対して複数の条件下で光学的な測定を行うことが可能なように構成されている。この検出部６２は、光電変換素子６４と、プリアンプ６５と、増幅部６６と、Ａ／Ｄ変換器６７と、ロガー６８と、コントローラ６９とを含んでいる。
【００３４】
また、光電変換素子６４は、キュベット載置部６１の挿入孔６１ａに挿入されたキュベット１５４内の分析用試料を介して後述するランプユニット６３のハロゲンランプ６３１ｋからの光を受光するとともに、受光した光を検出して電気信号に変換するための機能を有している。プリアンプ６５は、光電変換素子６４からの電気信号を増幅するために設けられている。また、増幅部６６は、プリアンプ６５からの電気信号をさらに増幅するために設けられている。また、増幅部６６は、コントローラ６９からの制御信号が入力されることにより切替動作を行うように構成されている。
【００３５】
Ａ／Ｄ変換器６７は、増幅部６６からの電気信号（アナログ信号）をデジタル信号に変換するために設けられている。ロガー６８は、Ａ／Ｄ変換器６７からのデジタル信号のデータを一時的に保存するための機能を有している。このロガー６８は、制御装置４の制御部４ａに電気的に接続されており、光学的情報取得部６０において取得されたデジタル信号のデータを制御装置４の制御部４ａに送信する機能を有する。
【００３６】
ランプユニット６３は、図１に示すように、キュベット供給部１０の下方に収容されており、試料分析装置１の検出機構部２本体の側面に設けられた開口部１ａを介してアクセス可能に構成されている。開口部１ａは、カバー部材１ｂにより開閉可能に構成されている。
【００３７】
ここで、本実施形態では、ランプユニット６３は、図４および図５に示すように、ランプ部材６３１と、ランプ部材６３１が配置されるランプハウジング６３２と、ランプハウジング６３２を固定するためのベース６３３と、ランプハウジング６３２を冷却するためのファン６３４（図６参照）と、集光レンズ６３５（図６および図７参照）と、円板形状のフィルタ部材６３６（図７参照）と、集光レンズ６３５およびフィルタ部材６３６を収容する収容ケース６３７と、光ファイバ６３８と、分岐光ファイバ６３９（図７参照）とを有している。集光レンズ６３５は、図７に示すように、ランプ部材６３１の後述するハロゲンランプ６３１ｋから照射された光を光ファイバ６３８に対して導出するために設けられている。なお、ランプ部材６３１は使い捨ての部品である。ランプハウジング６３２は使い捨てではないが、ランプハウジング６３２をランプ部材６３１と同様に使い捨てにしてもよい。
【００３８】
ランプ部材６３１は、図８に示すように、ハロゲンランプ６３１ｋと、ソケット６３１ｊと、ソケット６３１ｉに設けられた平板上の口金６３１ｄと、配線６３１ｉと、コネクタ６３１ｌとを含んでいる。ハロゲンランプ６３１ｋは、電極６３１ａと、電極６３１ａに接続されたフィラメント６３１ｂと、電極６３１ａおよびフィラメント６３１ｂを収容する石英ガラス製のバルブ６３１ｃとを含んでいる。また、ハロゲンランプ６３１ｋのフィラメント６３１ｂは、主にタングステン（Ｗ）から成る素材により構成されており、電極６３１ａが通電されるのに伴って発光されるように構成されている。また、フィラメント６３１ｂは、扁平な発光平面を有している。また、ハロゲンランプ６３１ｋのバルブ６３１ｃの内部には、臭素またはヨウ素などの少量のハロゲンが添加されたアルゴンが充填されている。なお、本実施形態で用いるハロゲンランプ６３１ｋは、設置する姿勢（点灯方向）を問わないタイプのハロゲンランプである。
【００３９】
また、口金６３１ｄは、ステンレス製の平板部６３１ｅを有している。平板部６３１ｅは、十字形状を有しており、後述するベース６３３の一対のノックピン６３３ｊおよび６３３ｋ（図４および図６参照）とそれぞれ係合可能な係合穴６３１ｆおよび切欠部６３１ｇを有している。また、平板部６３１ｅには、ランプハウジング６３２に設けられた突起部６３２ｄ（図９参照）を挿入可能な挿入穴６３１ｈが形成されている。
【００４０】
ランプハウジング６３２は、図９および図１０に示すように、アルミニウム製のブロックを削り出すことにより形成されている。ランプハウジング６３２には、図９に示すように、ハロゲンランプ６３１ｋのバルブ６３１ｃが下方から挿入されることにより収容される収容穴部６３２ａが形成されている。これにより、ハロゲンランプ６３１ｋのバルブ６３１ｃがランプ部材６３１の配線６３１ｉよりも上方に位置するように配置することが可能となる。また、ランプハウジング６３２には、図１０に示すように、ハロゲンランプ６３１ｋのフィラメント６３１ｂから照射される光を集光レンズ６３５（図７参照）に導出するための導出穴６３２ｂが形成されている。ハロゲンランプ６３１ｋのフィラメント６３１ｂは、その扁平な発光平面が導出穴６３２ｂの開口面と対向するように配置されており、光ファイバ６３８（図５参照）の受光面６３８ａ（図７参照）とも対向するように配置されている。
【００４１】
また、ランプハウジング６３２の収容穴部６３２ａ（図１０参照）の近傍には、図１０および図１１に示すように、十字形状の溝部６３２ｃが形成されている。この溝部６３２ｃは、ランプ部材６３１の口金６３１ｄの十字形状の平板部６３１ｅを挿入可能に構成されている。また、溝部６３２ｃには、図９および図１１に示すように、突起部６３２ｄが設けられている。この突起部６３２ｄは、平板部６３１ｅの挿入穴６３１ｈに挿入（係合）されることによって、溝部６３２ｃに挿入された口金６３１ｄを所定の位置で係合する機能を有する。
【００４２】
また、溝部６３２ｃには、図１０および図１１に示すように、一対のピン穴６３２ｅおよび６３２ｆが形成されている。一対のピン穴６３２ｅおよび６３２ｆは、それぞれ、口金６３１ｄの平板部６３１ｅが溝部６３２ｃに挿入された際における口金６３１ｄの係合穴６３１ｆおよび切欠部６３１ｇが位置する部分に対応するように形成されている。これにより、後述するベース６３３のノックピン６３３ｊを、口金６３１ｄの係合穴６３１ｆとピン穴６３２ｅとに挿入することにより、ベース６３３、ランプ部材６３１およびランプハウジング６３２をまとめて位置決めすることが可能となる。さらに、後述するベース６３３のノックピン６３３ｋを、口金６３１ｄの切欠部６３１ｇとピン穴６３２ｆとに挿入することにより、ベース６３３、ランプ部材６３１およびランプハウジング６３２をまとめて位置決めすることが可能となる。
【００４３】
また、ランプハウジング６３２には、図１２および図１３に示すように、ランプハウジング６３２の正面から背面までランプハウジング６３２を貫通する２つの貫通穴６３２ｇが形成されている。これら２つの貫通穴６３２ｇは、図５に示すように、それぞれ、ランプハウジング６３２がベース６３３に配置された際に、ファン６３４（図６参照）が配置されている方向にその開口面が指向するように形成されている。また、これら貫通穴６３２ｇは、それぞれ、図１０に示すように、収容穴部６３２ａおよび導出穴６３２ｂのいずれにも接続されておらず、ファン６３４による空気の流れが収容穴部６３２ａおよび導出穴６３２ｂのいずれにも流入されることがないように構成されている。
【００４４】
また、アルミニウム製のランプハウジング６３２は、その全体が黒色になるようにアルマイト処理が施されている。これにより、ハロゲンランプ６３１ｋが発光された際の輻射熱が発生するのを抑制することが可能となるので、ハロゲンランプ６３１ｋが高温になり過ぎるのを抑制することが可能となる。
【００４５】
また、アルミニウム製のランプハウジング６３２の溝部６３２ｃの幅は、ランプ部材６３１の口金６３１ｄをランプハウジング６３２に係合する組付時には、ステンレス製の口金６３１ｄの平板部６３１ｅの幅よりも大きい。しかしながら、ハロゲンランプ６３１ｋの使用時においてハロゲンランプ６３１ｋの発光により熱が加わった場合には、アルミニウム製のランプハウジング６３２とステンレス製の口金６３１ｄとの熱膨張係数の差により、ランプハウジング６３２の溝部６３２ｃの幅と溝部６３２ｃに係合された口金６３１ｄの平板部６３２ｅの幅とが略同一になるように構成されている。これにより、ハロゲンランプ６３１ｋの使用時に、ランプハウジング６３２の溝部６３２ｃに挿入された口金６３１ｄの平板部６３１ｅの位置規制をすることが可能となる。
【００４６】
また、ランプハウジング６３２には、図９〜図１４に示すように、ランプ部材６３１をランプハウジング６３２に取付可能なバネ部材６３２ｈが設けられている。具体的には、図９および図１３に示すように、ランプハウジング６３２には、バネ部材６３２ｈの一方側を回動可能に支持するブラケット６３２ｉが取り付けられているとともに、図９および図１２に示すように、バネ部材６３２ｈの他方側を係合可能なフック部６３２ｊが取り付けられている。そして、バネ部材６３２ｈは、図１４に示すように、他方側がフック部６３２ｊ（図９参照）に係合されている場合に、ランプハウジング６３２側に山型に屈曲する屈曲部６３２ｋによって口金６３１ｄの平板部６３１ｅ（図１０参照）の裏面（下面）を下方からランプハウジング６３２の溝部６３２ｃ（図１０参照）に対して付勢するように構成されている。これにより、工具などを使用することなくランプ部材６３１をランプハウジング６３２に取り付けることが可能となる。
【００４７】
また、ランプハウジング６３２には、図５および図１０に示すように、耐熱性を有するスポンジから成る断熱部材６３２ｌが取り付けられている。この断熱部材６３２ｌは、図１２に示すように、ランプハウジング６３２の上面および導出穴６３２ｂとは反対側の側面を覆うように配置されている。また、ランプハウジング６３２の上面には、ランプハウジング６３２をベース６３３（図４参照）から取り外す際にユーザにより把持可能なポリアセタール製の把持部６３２ｍが取り付けられている。
【００４８】
また、図９に示すように、ランプハウジング６３２をベース６３３に取り付けた際に試料分析装置１の検出機構部２（図１参照）の本体の開口部１ａに向かって指向する面には、ポリカーボネート製の板部材６３２ｎが取り付けられている。この板部材６３２ｎには、皿ネジ６３２ｏの頭の部分を収容可能なネジ穴６３２ｐが形成されており、板部材６３２ｎは、皿ネジ６３２ｏがネジ穴６３２ｐに収容された状態でランプハウジング６３２に取り付けられている。また、板部材６３２ｎの外側には、さらに、ポリカーボネート製の板部材６３２ｑが取り付けられている。この板部材６３２ｑは、ネジ部材６３２ｒにより板部材６３２ｎに取り付けられている。これにより、板部材６３２ｑは、板部材６３２ｎを介してランプハウジング６３２に取り付けられるので、板部材６３２ｎが熱を遮断する分、ランプユニット６３の開口部１ａに向かって指向する部分が高温になるのを抑制することが可能となる。また、ネジ部材６３２ｒは、板部材６３２ｎにのみ螺合し、ランプハウジング６３２に直接的に接することがないように構成されている。これにより、ランプハウジング６３２自体が高温になった場合にも、ネジ部材６３２ｒが高温になるのを抑制することが可能となる。なお、上記したフック部６３２ｊは、板部材６３２ｎおよび６３２ｑに一体的に形成されている。
【００４９】
また、板部材６３２ｑには、図５および図９に示すように、ランプ部材６３１がランプハウジング６３２に取り付けられた際に、配線６３１ｉを保持するための配線保持部６３２ｓが取り付けられている。
【００５０】
また、ランプハウジング６３２のバネ部材６３２ｈを支持するブラケット６３２ｉが取り付けられている面には、ポリカーボネート製の板部材６３２ｔが取り付けられている。また、図１０および図１４に示すように、ランプハウジング６３２の導出穴６３２ｂが形成されている面には、ポリカーボネート製の板部材６３２ｕが取り付けられている。
【００５１】
また、ランプハウジング６３２の上面には、図９および図１０に示すように、ランプハウジング６３２を後述するベース６３３の設置部材６３３ｃに螺合可能なネジ部材６３２ｖの頭部分が設けられている。このネジ部材６３２ｖのネジ部分は、ランプハウジング６３２の下方に突出するようにランプハウジング６３２に配置されており、ランプハウジング６３２をベース６３３に固定するために設けられている。また、ネジ部材６３２ｖの頭部分は、ユーザの手により直接的に回転可能なノブにより構成されている。
【００５２】
また、本実施形態では、ベース６３３は、図４に示すように、後述するプレート部材６３３ａが下側に位置するように試料分析装置１の検出機構部２（図１参照）の本体に取り付けられており、ランプ部材６３１、ランプハウジング６３２、集光レンズ６３５（図７参照）、フィルタ部材６３６（図７参照）および光ファイバ６３８などの配置位置の基準を決めるために設けられている。ベース６３３は、プレート部材６３３ａと、プレート部材６３３ａに取り付けられた板金製のブラケット６３３ｂと、ブラケット６３３ｂに取り付けられた一対の設置部材６３３ｃおよび６３３ｄとにより主に構成されている。
【００５３】
ブラケット６３３ｂは、図６に示すように、プレート部材６３３ａ上に取り付けられる底部６３３ｅと、底部６３３ｅから上側に延びる２つの壁部６３３ｆおよび６３３ｇとにより構成されている。底部６３３ｅは、ネジ部材（図示せず）により設置部材６３３ｃおよび６３３ｄと共にプレート部材６３３ａの裏側からプレート部材６３３ａに共締めされている。また、壁部６３３ｆは、ファン６３４が配置されている部分側に設けられており、複数のスリット状の通風穴６３３ｈを有する。また、壁部６３３ｇは、収容ケース６３７（図４参照）が配置されている部分側に設けられており、ランプハウジング６３２の導出穴６３２ｂ（図１４参照）と対応する開口部６３３ｉが形成されている。
【００５４】
また、設置部材６３３ｃには、比較的寸法精度の高いノックピン６３３ｊが取り付けられている。ノックピン６３３ｊは、ランプ部材６３１が取り付けられたランプハウジング６３２がベース６３３に固定される際に、口金６３１ｄの平板部６３１ｅの係合穴６３１ｆと係合するように構成されている。つまり、ノックピン６３３ｊは、ランプ部材６３１をベース６３３に対して位置決めする機能を有する。さらに、ノックピン６３３ｊは、ランプ部材６３１が取り付けられたランプハウジング６３２がベース６３３に固定される際に、ランプハウジング６３２のピン穴６３２ｅに挿入されるように構成されている。これにより、ランプハウジング６３２をベース６３３に対して位置決めすることが可能となる。また、設置部材６３３ｃには、ランプハウジング６３２をベース６３３に強固に固定するためのネジ部材６３２ｖと螺合可能なネジ穴６３３ｌが形成されている。
【００５５】
また、設置部材６３３ｄには、比較的寸法精度の高いノックピン６３３ｋが取り付けられている。ノックピン６３３ｋは、ランプ部材６３１が取り付けられたランプハウジング６３２がベース６３３に固定される際に、口金６３１ｄの平板部６３１ｅの切欠部６３１ｇと係合するように構成されている。つまり、ノックピン６３３ｋは、ランプ部材６３１をベース６３３に対して位置決めする機能を有する。さらに、ノックピン６３３ｋは、ランプ部材６３１が取り付けられたランプハウジング６３２がベース６３３に固定される際に、ランプハウジング６３２のピン穴６３２ｆに挿入されるように構成されている。これにより、ランプハウジング６３２をベース６３３に対して位置決めすることが可能となる。また、このようにランプハウジング６３２がベース６３３に位置決めされた状態で取り付けられた際には、ランプハウジング６３２の導出穴６３２ｂが設けられている面（板部材６３２ｕ）とブラケット６３３ｂの壁部６３３ｇとの間に隙間が生じるのを抑制することが可能である。
【００５６】
上記のようにランプユニット６３を構成することによって、ランプ部材６３１が配置されるランプハウジング６３２を、ハロゲンランプ６３１ｋのフィラメント６３１ｂが電極６３１ａに対して上方に位置するように精度よく設置することが可能となる。
【００５７】
また、フィルタ部材６３６は、図７に示すように、軸６３６ａを中心に回転可能に設けられている。このフィルタ部材６３６には、透過波長の異なる複数のフィルタ６３６ｂが設けられている。上記のように、透過波長の異なる複数のフィルタ６３６ｂを有するフィルタ部材６３６を回転可能に構成することによって、ハロゲンランプ６３１ｋの光が透過波長の異なる複数のフィルタ６３６ｂを順次通過することが可能であるので、複数の異なる波長を有する光を光ファイバ６３８の受光面６３８ａに順次供給することが可能である。
【００５８】
分岐光ファイバ６３９は、光ファイバ６３８からの光を分岐させることにより、キュベット載置部６１の複数の挿入孔６１ａに各々挿入されたキュベット１５４に光を供給するために設けられている。
【００５９】
キュベット廃棄部７０は、回転搬送部２０のキュベット１５３を廃棄するために設けられている。キュベット廃棄部７０は、廃棄用キャッチャ部７１により、回転搬送部２０のキュベット１５３および１５４を廃棄ボックス７２に移動させるように構成されている。
【００６０】
図１に示した流体部８０は、試料分析装置１のシャットダウン処理の際に、検体分注アーム３０および２つの試薬分注アーム４０にそれぞれ設けられたノズルに洗浄液などの液体を供給するために設けられている。
【００６１】
次に、図１５を参照して、ハロゲンランプ６３１ｋの使用中（発光中）におけるハロゲンランプ６３１ｋのバルブ６３１ｃ内で生じるハロゲンサイクルについて説明する。
【００６２】
まず、電極６３１ａを介してフィラメント６３１ｂが通電されることによって、フィラメント６３１ｂが発光されるとともに、フィラメント６３１ｂが高温になる。これにより、図１５のＡに示すように、フィラメント６３１ｂからフィラメント６３１ｂの成分であるタングステン（Ｗ）が昇華される。
【００６３】
そして、図１５のＢに示すように、昇華されたタングステン（Ｗ）は、バルブ６３１ｃ内のアルゴンに添加されているハロゲン（Ｘ）と反応し、図１５のＣに示すように、タングステンハロゲン化物（ＷＸ２）が生じる。
【００６４】
そして、図１５のＤに示すように、タングステンハロゲン化物（ＷＸ２）がフィラメント６３１ｂの近傍に戻ってきた場合には、タングステンハロゲン化物（ＷＸ２）は、フィラメント６３１ｂの熱により、タングステン（Ｗ）とハロゲン（Ｘ）とに分離される。そして、分離されたハロゲン（Ｘ）は、バルブ６３１ｃ内に戻るとともに、タングステン（Ｗ）は、フィラメント６３１ｂに吸収され、フィラメント６３１ｂを構成する。
【００６５】
上記のようなハロゲンサイクルにより、ハロゲンランプ６３１ｋは、フィラメント６３１ｂから昇華したタングステン（Ｗ）を再度フィラメント６３１ｂに戻すことが可能となるように構成されている。
【００６６】
なお、上記のハロゲンサイクルにおいて、ハロゲンサイクルが行われる空間に位置するバルブ６３１ｃの温度が所定の温度よりも低くなった場合には、分離されたタングステン（Ｗ）はバルブ６３１ｃの内周面に付着される。このようにバルブ６３１ｃの温度が低いことに起因してタングステン（Ｗ）がバルブ６３１ｃの内周面に付着した場合には、フィラメント６３１ｂのタングステン（Ｗ）が不足し、フィラメント６３１ｂの寿命が短くなる。その一方で、バルブ６３１ｃの温度が高過ぎた場合には、バルブ６３１ｃ内のハロゲン（Ｘ）が活発でかつ過剰になるので、ハロゲン（Ｘ）によりフィラメント６３１ｂが腐食される。その結果、フィラメント６３１ｂの寿命が短くなる。
【００６７】
本実施形態では、ハロゲンランプ６３１ｋでスムーズにハロゲンサイクルを行わせるために、ランプハウジング６３２およびその周辺部品を上記のように適切に構成することにより、所定の温度範囲に保つことが可能なように構成した。
【００６８】
また、本実施形態では、ハロゲンランプ６３１ｋのフィラメント６３１ｂが電極６３１ａに対して上方に位置するようにハロゲンランプ６３１ｋを設置することによって、フィラメント６３１ｂの寿命（平均寿命）を長くすることが可能となる。以下、フィラメント６３１ｂが電極６３１ａに対して上方に位置するようにハロゲンランプ６３１ｋを設置することでフィラメント６３１ｂの寿命（平均寿命）が長くなると考えられる原理について説明する。
【００６９】
まず、バルブ６３１ｃの内部のフィラメント６３１ｂの上方には空間が存在しており、この空間に、ハロゲンが添加されたアルゴンが存在している。そして、フィラメント６３１ｂの発光時には、フィラメント６３１ｂからタングステンが昇華し、昇華したタングステンは、バルブ６３１ｃの内部のフィラメント６３１ｂの上方空間に広がる。また、熱は上方に移動するため、ハロゲンランプ６３１ｋの発光時に、フィラメント６３１ｂが発する熱は、電極６３１ａとは反対のフィラメント６３１ｂよりも上方のバルブ６３１ｃの内周面上側全体に広がる。その結果、ハロゲンサイクルが行われる空間であるバルブ６３１ｃの上部の温度が低下するのを抑制することが可能となる。
【００７０】
そのため、ハロゲン（Ｘ）がバルブ６３１ｃの内周面に付着するのを抑制することができ、バルブ６３１ｃの上部においてハロゲンサイクルを良好に行うことが可能となる。これにより、ハロゲンサイクルが崩れてタングステンがフィラメント６３１ｂに戻らなくなるという不都合が発生するのを抑制することが可能となるので、その結果、フィラメント６３１ｂの寿命（平均寿命）を長くすることが可能となる。
【００７１】
次に、図１５および図１６を参照して、本実施形態のように、ハロゲンランプ６３１ｋのフィラメント６３１ｂが電極６３１ａに対して上方に位置するように設置した場合と、比較例のように、ハロゲンランプ７３１のフィラメント７３１ｂが電極７３１ａに対して下方に位置するように設置した場合との両方におけるハロゲンランプ６３１ｋの寿命試験（比較実験）結果について説明する。本願発明者は、この比較実験により、ハロゲンランプ６３１ｋのフィラメント６３１ｂが電極６３１ａに対して上方に位置するように上向きに設置した場合に、ハロゲンランプの平均寿命を延ばすことができることを確認した。以下、詳細に説明する。
【００７２】
図１６のグラフの横軸は、本実施形態および比較例に対応するハロゲンランプの連続点灯時間を示している。また、図１６のグラフの縦軸は、実験を行った全サンプル数に対する割合値（度数）を示している。また、図１６のグラフの実線により表わされた曲線は、本実施形態のように、ハロゲンランプ６３１ｋのフィラメント６３１ｂが電極６３１ａに対して上方に位置するように設置した状態で連続点灯した複数のサンプル（ハロゲンランプ６３１ｋ）の実測寿命時間に基づいて算出された正規分布関数を示している。また、図１６のグラフの破線により表わされた曲線は、比較例のように、ハロゲンランプ７３１のフィラメント７３１ｂが電極７３１ａに対して下方に位置するように設置した状態で連続点灯した複数のサンプル（ハロゲンランプ７３１）の実測寿命時間に基づいて算出された正規分布関数を示している。
【００７３】
上記図１６の２つの正規分布より、本実施形態のようにハロゲンランプ６３１ｋのフィラメント６３１ｂ（図１５参照）が電極６３１ａ（図１５参照）に対して上方に位置するように上向きに設置した場合の方が、比較例のハロゲンランプ７３１と比べてハロゲンランプ６３１ｋの寿命（平均寿命）が長くなっていることが確認された。つまり、比較例のようにハロゲンランプ７３１のフィラメント７３１ｂが電極７３１ａに対して下方に位置するように下向きに設置した場合には、熱は上方に移動するため、フィラメント７３１ｂから発生される熱は電極７３１ａの方（上方）に広がる。その結果、バルブ７３１ｃの電極７３１ａとは反対側の部分（比較例ではバルブ７３１ｃの下側の部分）にフィラメント７３１ｂから発せられる熱が十分に行き渡らないため、バルブ７３１ｃの電極７３１ａとは反対側の部分（ハロゲンサイクルが行われる空間）の温度が低くなってしまったと考えられる。目視により確認したところ、比較例のバルブ７３１ｃの内周面には、タングステン（Ｗ）が付着していた。これに対して、本実施形態のようにハロゲンランプ６３１ｋを配置した方が、スムーズにハロゲンサイクルを行わせることが可能となる。
【００７４】
本実施形態では、上記のように、ハロゲンランプ６３１ｋが配置されるランプハウジング６３２を、ハロゲンランプ６３１ｋのフィラメント６３１ｂが電極６３１ａに対して上方に位置するように設置することによって、ハロゲンランプ６３１ｋの使用時に、フィラメント６３１ｂが発する熱はフィラメント６３１ｂよりも上方に広がるので、電極６３１ａおよびフィラメント６３１ｂを覆うガラスからなるバルブ６３１ｃのフィラメント６３１ｂよりも上方の部分の温度が低下するのを抑制することができる。これにより、ハロゲンランプ６３１ｋの使用時に、バルブ６３１ｃ内のフィラメント６３１ｂよりも上方の空間において、タングステンからなるフィラメント６３１ｂから昇華したタングステンがバルブ内のハロゲンと化合してハロゲン化物を形成した後、再びフィラメント６３１ｂ近傍でハロゲンとタングステンとに分解されて分解されたタングステンがフィラメント６３１ｂに戻るという、いわゆるハロゲンサイクルが行われる際に、バルブ６３１ｃのフィラメント６３１ｂよりも上方の部分の温度低下に起因してタングステンがガラスからなるバルブ６３１ｃの内面に付着することによりハロゲンサイクルが崩れてタングステンがフィラメント６３１ｂに戻らなくなるという不都合が発生するのを抑制することができる。それにより、フィラメント６３１ｂが細くなるのを抑制することができるので、フィラメント６３１ｂの寿命（平均寿命）を長くすることができる。その結果、ランプ部材６３１の交換頻度を減らすことができる。
【００７５】
また、本実施形態では、上記のように、ランプ部材６３１を、ランプハウジング６３２がベース６３３に固定される際に、ランプハウジング６３２とベース６３３とに挟み込まれることによって保持することによって、ランプ部材６３１をベース６３３およびランプハウジング６３２の両方に対して位置合わせした状態で保持することができるので、ベース６３３およびランプハウジング６３２の両方に対してランプ部材６３１の位置ずれを抑制することができる。
【００７６】
また、本実施形態では、上記のように、フィラメント６３１ｂの扁平な発光平面を、光ファイバ６３８の受光面６３８ａと対向するように配置することによって、ランプ部材６３１の取付位置が少しずれている場合にも、フィラメント６３１ｂの扁平な発光平面による広い照射範囲により、確実に光ファイバ６３８の受光面６３８ａに光を当てることができる。また、光ファイバ６３８の受光面６３８ａに一様に光を照射することができ、分岐光ファイバ６３９により等量の光を分岐することが可能となる。
【００７７】
また、本実施形態では、上記のように、ランプ部材６３１の口金６３１ｄに、十字形状の平板部６３１ｅを設けるとともに、ランプハウジング６３２に、口金６３１ｄの平板部６３１ｅを挿入可能な十字形状の溝部６３２ｃを設けることによって、十字形状の平板部６３１ｅが溝部６３２ｃに挿入されることにより、口金６３１ｄを回転方向に対して規制することができるので、ランプ部材６３１の口金６３１ｄが溝部６３２ｃに対して回転方向にずれるのを抑制することができる。これにより、ハロゲンランプ６３１ｋのフィラメントとして扁平な発光平面を有するフィラメント６３１ｂを用いる場合にも、その扁平な発光平面が回転方向にずれるのを抑制することができる。
【００７８】
また、本実施形態では、上記のように、ベース６３３に、ランプハウジング６３２がベース６３３に固定される際に、ランプハウジング６３２に係合されたランプ部材６３１の口金６３１ｄを位置決めするノックピン６３３ｊおよび６３３ｋを設けることによって、ベース６３３に対して位置決めされている光ファイバ６３８などの他の部材と同様に、ランプ部材６３１をベース６６３のノックピン６３３ｊおよび６３３ｋによりベース６３３を基準としてベース６３３に取り付けることができるので、ランプ部材６３１と光ファイバ６３８などの他の部材との組立誤差を小さくすることができる。
【００７９】
また、本実施形態では、上記のように、フィラメント６３１ｂの扁平な発光平面が光ファイバの受光面に対面するようにフィラメント６３１ｂを設置する場合に、フィラメント６３１ｂを縦方向（フィラメント６３１ｂと電極６３１ａとが垂直方向に並ぶ方向）に設置しているため、扁平な発光平面を有するフィラメント６３１ｂを横方向（フィラメント６３１ｂと電極６３１ａとが水平方向に並ぶ方向）に設置する場合に比べて、光学系に関連する装置の構成を簡略化することが可能となる。すなわち、フィラメント６３１ｂの扁平な発光平面が光ファイバの受光面に対面するようにフィラメント６３１ｂを横向きに設置した場合には、フィラメント６３１ｂの自重により、フィラメント６３１ｂが縮んでしまい、安定した光量の光を光ファイバの受光面に照射することが困難となる。また、フィラメント６３１ｂの扁平な発光平面が下方または上方を向くようにフィラメント６３１ｂを横向きに設置した場合には、ミラーなどの器具を用いてフィラメント６３１ｂの発光平面からの光を光ファイバの受光面の方向に屈折させる必要があるため、光学系に関連する装置の構成が複雑化する。一方、本実施形態のように、フィラメント６３１ｂを縦方向に設置することにより、フィラメント６３１ｂの発光平面からの光を屈折させるためのミラーなどを設ける必要がないので、光学系に関連する装置の構成を簡略化することが可能となるとともに、安定した光量の光を光ファイバの受光面に照射することが可能となる。
【００８０】
また、本実施形態では、上記のように、ハロゲンランプ６３１ｋが劣化した場合には、ランプ部材６３１ごと交換を行うことが可能であるため、ハロゲンランプ６３１ｋの発光が終了した直後に交換作業を行う場合であっても、使用者がハロゲンランプ６３１ｋのバルブ６３１ｃに直接接触することが抑制される。そのため、ハロゲンランプ６３１ｋの発光で生じた熱による火傷などを防ぐことができる。
【００８１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８２】
たとえば、上記実施形態では、ランプハウジングをベースに固定した例について示したが、本発明はこれに限らず、ランプハウジングを検出機構部２に直接的に取り付けるようにしてもよい。
【００８３】
また、上記実施形態では、ハロゲンランプをランプハウジングにバネ部材により取り付けた例について示したが、本発明はこれに限らず、たとえば、ネジ部材などのようなバネ部材以外の部材により、ハロゲンランプをランプハウジングに取り付けるようにしてもよい。また、ハロゲンランプとランプハウジングとを１つのユニットにより構成してもよい。
【００８４】
また、上記実施形態では、扁平な発光平面を有するフィラメントが設けられたハロゲンランプを用いた例について示したが、本発明はこれに限らず、たとえば、螺旋形状のフィラメントなど、扁平な発光平面を有するフィラメント以外のフィラメントが設けられたハロゲンランプを用いてもよい。
【００８５】
また、上記実施形態では、ハロゲンランプの口金をベースに対して位置決めするために２つのノックピンを設けた例について示したが、本発明はこれに限らず、１つまたは３つ以上のノックピンによりハロゲンランプの口金をベースに対して位置決めしてもよいし、たとえば、ベースに係合溝を設けるとともに口金を係合溝に係合させるなどして、ノックピン以外によりハロゲンランプの口金をベースに対して位置決めしてもよい。
【００８６】
また、上記実施形態では、ランプハウジングを冷却するための貫通穴を２つ設けた例について示したが、本発明はこれに限らず、貫通穴を１つまたは３つ以上設けるようにしてもよい。
【００８７】
また、上記実施形態では、ベース６３３の設置部材６３３ｃおよび６３３ｄを、ブラケット６３３ｂと共にプレート部材６３３ａに共締めすることにより、プレート部材６３３ａに取り付けた例について示したが、本発明はこれに限らず、たとえば、図１７に示す変形例のように、設置部材９３３ｃおよび９３３ｄを、プレート部材９３３ａに直接的に取り付けてもよい。
【００８８】
本発明の一実施形態の変形例では、図１７に示すように、ランプ部材６３１（図８参照）を位置決めするための設置部材９３３ｃおよび９３３ｄが設けられている。設置部材９３３ｃおよび９３３ｄは、それぞれ、ベース９３３のプレート部材９３３ａに対して直接的に取り付けられている。そして、設置部材９３３ｃおよび９３３ｄは、それぞれ、ランプ部材６３１（図８参照）が収容されたランプハウジングがノックピン９３３ｊおよび９３３ｋにより位置決めされた状態で設置部材９３３ｃおよび９３３ｄに設置された際に、ハロゲンランプ６３１ｋの高さ位置が光ファイバ６３８の受光面の高さ位置と一致するように調整されている。
【符号の説明】
【００８９】
１  試料分析装置
４ａ  制御部
６４  光電変換素子
６３１  ランプ部材
６３１ａ  電極
６３１ｂ  フィラメント
６３１ｄ  口金
６３１ｅ  平板部
６３１ｆ  係合穴
６３１ｇ  切欠部
６３１ｉ  配線
６３１ｊ  ソケット
６３１ｋ  ハロゲンランプ
６３１ｌ  コネクタ
６３２  ランプハウジング
６３２ｃ  溝部
６３２ｇ  貫通穴
６３２ｌ  断熱部材
６３２ｍ  把持部
６３２ｈ  バネ部材
６３３  ベース
６３３ｊ、６３３ｋ  ノックピン
６３８  光ファイバ
６３８ａ  受光面
【図１】
2010266236.tif 000003
【図２】
2010266236.tif 000004
【図３】
2010266236.tif 000005
【図４】
2010266236.tif 000006
【図５】
2010266236.tif 000007
【図６】
2010266236.tif 000008
【図７】
2010266236.tif 000009
【図８】
2010266236.tif 000010
【図９】
2010266236.tif 000011
【図１０】
2010266236.tif 000012
【図１１】
2010266236.tif 000013
【図１２】
2010266236.tif 000014
【図１３】
2010266236.tif 000015
【図１４】
2010266236.tif 000016
【図１５】
2010266236.tif 000017
【図１６】
2010266236.tif 000018
【図１７】
2010266236.tif 000019